(57)【要約】【課題】屋外設置される端末装置の筐体を構成する、嵌合する２つのケース間に流れ込む雨水などの水が、下方に抜け出る構造を備えることで、樹脂製筐体を使用した場合でも、簡単な構造で、装置内部へ浸水を確実に防ぎ、防水性を高める。【解決手段】筐体の内部に回路基板などを収容し屋外に設置される端末装置の筐体は、嵌合部を介して互いに嵌合する複数のケースからなり、この嵌合部の下方において、下側のケースに１か所以上の水抜き用の穴あるいはスリットを設けるとともに、上側のケースに下側ケースの水抜き用の穴あるいはスリットに相対するよう、頂点あるいは稜線を有する鉛直下方向に尖った突起を設け、嵌合部に侵入した雨水を突起により水抜き用の穴あるいはスリットに導いて排出するようにした。【選択図】図２
2011085541.tif 000002
【特許請求の範囲】
【請求項１】
筐体の内部に回路基板などを収容し屋外に設置される端末装置において、
前記筐体は、嵌合部を介して互いに嵌合する複数のケースからなり、前記嵌合部の下方において、下側のケースに１か所以上の水抜き用の穴あるいはスリットを設けるとともに、上側のケースに前記下側ケースの水抜き用の穴あるいはスリットに相対するよう、頂点あるいは稜線を有する鉛直下方向に尖った突起を設け、前記嵌合部に侵入した雨水を該突起により前記水抜き用の穴あるいはスリットに導いて排出するようにしたことを特徴とする端末装置。
【請求項２】
前記突起は、水抜き用の穴あるいはスリットを設けた下側のケースよりも突出させたことを特徴とする請求項１に記載の端末装置。
【請求項３】
前記突起を設けた上側のケース下面は、突起に向けて傾斜を有することを特徴とする請求項１又は２に記載の端末装置。
【請求項４】
前記突起を設けた上側のケース下面は、突起を設けた部分を最下点とする円弧状に形成されたことを特徴とする請求項１ないし３に記載の端末装置。
【発明の詳細な説明】
【技術分野】
【０００１】
本発明は、ガスメータなどの検針を行う自動検針用端末装置などの屋外に設置される端末装置に利用される。
【背景技術】
【０００２】
従来の自動検針用端末装置の構造の一例を図４に示す。
図４は、従来の自動検針用端末装置の分解斜視図である。その筐体は、上ケース１１０、下ケース１２０及びカバーケース１３０から構成され、スイッチなどの部品がはんだ付けされた回路基板（図示しない）は、裏面から上ケース１１０内に収容され、下ケース１２０が取り付けられる。そして、回路基板にはんだ付けされたスイッチなどを覆うためのカバーケース１３０が、ネジ１３５によって上ケース１１０に取り付けられる。
【０００３】
このような自動検針用端末装置は、屋外の壁面などに設置されることが多いため、雨水などに対する防水性能が要求される。上ケース１１０内部には、その全周に溝（図示しない）が設けられており、紐状のパッキン（図示しない）が配設される。そして、下ケース１２０の全周に設けられた嵌合リブ１２１が、上ケース１１０の溝に嵌まり込み、紐状のパッキンを押さえつけることで装置内部への浸水を防止する。
【０００４】
また、上ケース１１０には、カバー１３０が取り付けられる上側に嵌合溝１１１が設けられている。さらに、嵌合溝１１１に流れ込み、側面を伝わった雨水などが装置内部へ浸入するのを防止するためのリブ１１２が、上ケース１１０の側面や下面に、そして、流れ込んだ水を抜くためのスリット１３１が、カバー１３０に設けられている。
【０００５】
しかしながら、上ケース１１０と下ケース１２０の嵌合部（上ケース１１０の溝）に雨水が充満し、紐状のパッキンの継ぎ目や、上ケース１１０や下ケース１２０の変形などによって生じた、上ケース１１０の溝及び下ケース１２０の嵌合リブ１２１間の隙間から装置内部へ浸水することがあった。
【０００６】
また、上ケース１１０の下面とカバー１３０の下面とは、水平に対向しているため、水の表面張力の影響や設置時の装置の傾きで、カバー１３０に設けたスリット１３１から水が抜けずに、上ケース１１０のリブ１１２を越えて、装置内部へ水が流れ込むこともあった。
【０００７】
なお、ガスメータなどの屋外設置端末装置において、下記特許文献１にみられるように、上ケースと下ケースのいずれか一方に中空の回路収容部を設けることや、下記特許文献２にみられるように、コントロールボックス蓋の外周縁に、コントロールボックス室の上端開口周縁を外側から覆う周縁カバー片を設けることも提案されているが、いずれも構造が複雑であったり、樹脂製筐体を使用した場合の筐体自体の変形や、シール部の劣化等により、隙間から侵入した水が回路に侵入するおそれがあった。
【先行技術文献】
【特許文献】
【０００８】
【特許文献１】特許第３３０１０１７号公報
【特許文献２】特開２００１−３４３２７０号公報
【発明の開示】
【発明が解決しようとする課題】
【０００９】
そこで、本発明の課題は、屋外設置される端末装置の嵌合する２つの筐体間に流れ込む雨水などの水が下方に抜け出る構造を備えることで、樹脂製筐体を使用した場合でも、簡単な構造で、装置内部へ浸水を確実に防ぎ、防水性の高い端末装置を提供することにある。
【課題を解決するための手段】
【００１０】
上記課題を解決するため、本発明の自動検針用端末装置などの屋外に設置される端末装置は、その筐体が、嵌合部を介して互いに嵌合する複数のケースからなり、この嵌合部の下方において、下側のケースに１か所以上の水抜き用の穴あるいはスリットを設けるとともに、上側のケースに下側ケースの水抜き用の穴あるいはスリットに相対するよう、頂点あるいは稜線を有する鉛直下方向に尖った突起を設け、嵌合部に侵入した雨水を該突起により水抜き用の穴あるいはスリットに導いて排出するようにした。
【００１１】
この突起を、水抜き用の穴あるいはスリットを設けた下側のケースよりも突出させてもよいし、突起を設けた上側のケース下面に、突起に向けて傾斜を有するようにしてよい。
【００１２】
また、突起を設けた上側のケース下面を、突起を設けた部分を最下点とする円弧状に形成してもよい。
【発明の効果】
【００１３】
本発明の自動検針用端末装置などの屋外に設置される端末装置によれば、筐体を構成するケースの嵌合部の下方において、下側のケースに１か所以上の水抜き用の穴あるいはスリットを設けるとともに、上側のケースに下側ケースの水抜き用の穴あるいはスリットに相対するよう、頂点あるいは稜線を有する鉛直下方向に尖った突起を設け、嵌合部に侵入した雨水を該突起により水抜き用の穴あるいはスリットに導いて排出するようにすることで、２つのケース間に充満する水が抜け出る構造を備えたもので、部品の組立、装置の設置状態やパッキンの劣化などに影響されずに、また樹脂製筐体を使用した場合でも、その変形にかかわりなく装置の防水性を高めることができる。
【図面の簡単な説明】
【００１４】
【図１】図１は本発明の実施形態の屋外に設置される端末装置の分解斜視図である。
【図２】図２は本発明の実施形態の屋外に設置される端末装置の分解斜視図である。
【図３】図３は本発明の実施形態の屋外に設置される端末装置の外観斜視図である。
【図４】図４は従来の自動検針用端末装置の分解斜視図である。
【発明を実施するための形態】
【００１５】
以下、本発明に係る屋外に設置される端末装置の実施形態について図面を参照して説明する。
【実施例】
【００１６】
図１、図２は、本発明の実施形態の分解斜視図である。
図１、２に示すとおり、ガスメータ等の検針を行う自動検針用端末装置などの屋外設置される端末装置の筐体は、上ケース１０、下ケース２０及びカバーケース３０からなり、この実施例では、これらのケースは樹脂製であり、上ケース１０と下ケース２０、上ケース１０とカバーケース３０が互いに嵌合して筐体を構成している。
【００１７】
スイッチなどの部品がはんだ付けされた回路基板（図示しない）が、上ケース１０内に収容され、下ケース２０が取り付けられる。上ケース１０内部には、紐状のパッキン（図示しない）を配設するための溝（図示しない）が設けられている。そして、下ケース２０の全周に設けられた嵌合リブ２１が、上ケース１０の溝に嵌まり込み、この嵌合部の下方において、上ケース１０の下面１５が下ケース２０の下側でその下面２２に対向している。
【００１８】
本装置を壁面などに設置した状態における上ケース１０の下面１５には、スリット１６が設けられており、下ケース２０の下面２２には、上ケース１０のスリット１６に相対する位置に鉛直下方向に頂点を有する円錐状の突起２３が設けられている。さらに、下ケース２０の下面２２は、円錐状の突起２３を設けた部分が最下点となる円弧状に形成されており、上ケース１０の下面１５も下ケース２０の下面２２に沿うように円弧状に形成されている。
【００１９】
以上のように構成された端末装置では、雨水などが上ケース１０の溝と下ケース２０の嵌合リブ２１の嵌合部の隙間に流れ込んでも、側面を伝わり、円弧状の下面２２に沿って円錐状の突起２３に導かれて、上ケース１０のスリット１６から端末装置の外に抜け出るために、上ケース１０と下ケース２０の嵌合部の隙間に水が充満することを防止できる。
【００２０】
図２は、本発明の実施形態の分解斜視図であり、カバーが取り外された状態を示している。図１と同じ部位には、同じ符号を付している。
図２に示すとおり、回路基板にはんだ付けされたスイッチなどを覆うためのカバーケース３０は、ネジ３５によって上ケース１０に取り付けられる。
【００２１】
上ケース１０には、カバーケース３０が取り付けられる上側に嵌合溝１１が設けられており、上ケース１０の側面及び下面には、カバーケース３０の内面との間に一定の隙間を形成するリブ１２が設けられている。リブ１２は、嵌合溝１１に流れ込み、側面の隙間を伝わった雨水などが装置内部へ浸入することを防止している。
【００２２】
上述した上ケース１０とカバーケース３０の嵌合部の下方において、カバーケース３０の下面が、上ケース１０の下側でその下面１３に対向している。
カバーケース３０の下面には、流れ込んだ水を抜くためのスリット３１が設けてあり、スリット３１の周囲には、下方向に稜線を有するリブ状の縁３２を備えている。
【００２３】
また、上ケース１０のリブ１２が設けられた下面１３には、カバーケース３０のスリット３１に相対する位置に稜線を有する鉛直下方向に尖った突起１４が設けられている。さらに、上ケース１０の下面は、突起１４に向けた傾斜を有しており、加えて、図示していないが、カバーケース３０の下面内側も上ケース１０の下面１３の傾斜に沿うように形成されている。
【００２４】
以上のように構成された端末装置では、上ケース１０の嵌合溝１１から流れ込んだ雨水などは、上ケース１０とカバーケース３０の側面の隙間を伝わり、上ケース１０の下面１３の傾斜に沿って突起１４に導かれて、カバーケース３０のスリット３１から端末装置の外に抜け出るために、上ケース１０とカバーケース３０の側面や下面にある隙間に水が充満することを防止することができる。
【００２５】
図３は、上ケース１０、下ケース２０及びカバーケース３０をすべて嵌合させて筐体を形成した場合の本発明の実施形態の外観斜視図であり、図１及び図２と同じ部位には、同じ符号を付している。
図３に示すとおり、下ケースの円錐状の突起２３は、外郭となる上ケース１０の円弧状下面１５よりも突出しており、上ケース１０の突起１４は、外郭となるカバーケース３０の下面よりも突出している。
【００２６】
これにより、上ケース１０、下ケース２０及びカバーケース３０が変形したり、パッキン等が劣化しても、各ケース間の嵌合部や隙間に流れ込んだ雨水などを装置外部に円滑に排出し、回路基板を確実に保護することができる。
【００２７】
いうまでもないが、本発明は、上記実施形態に限定されるものではなく、本発明の範囲内で、上記実施形態に修正及び変更を加え得ることは勿論である。
【符号の説明】
【００２８】
１０  上ケース
１３  傾斜を有する下面
１４  稜線を有する突起
１６  上ケースのスリット
２０  下ケース
２２  円弧状下面
２３  円錐状突起
３０  カバーケース
３１  カバーケースのスリット
３２  リブ状の縁
【図１】
2011085541.tif 000003
【図２】
2011085541.tif 000004
【図３】
2011085541.tif 000005
【図４】
2011085541.tif 000006